(57)【要約】 【課題】有機固体素子に基づく電流型半導体発光材料である有機ＥＬ素子と太陽電池を利用することにより、湾曲自在性、低消費電力、高視認性を有するユーザ端末を実現し、このユーザ端末との間の光情報通信が可能になる情報提供システムを提供する。【解決手段】環境側からユーザ側へ送る音声情報および画像情報に基づいてそれぞれ強度変調した音声情報光および画像情報光を発信する手段と、ユーザ側から環境側へ送る情報コードに基づいてユーザ端末に設けられた有機ＥＬ素子が行う明滅を撮影する手段と、撮影された画像中の明滅に基づいて前記情報コードをディコーディングする手段とを有する環境側装置２、および、音声情報光を光電変換する薄膜の太陽電池１３と、太陽電池１３により得られた音声情報を出力する手段と、画像情報光を光電変換し、得られた画像情報を表示する有機ＥＬ素子１２とを有するカード型ユーザ端末１を備える。【選択図】図３
2007333905.tif 000002
【特許請求の範囲】
【請求項１】
音声情報に基づいて強度変調された音声情報光を光電変換する薄膜の太陽電池、
太陽電池により得られた音声情報を出力する手段、および
画像情報に基づいて強度変調された画像情報光を光電変換し、得られた画像情報を表示する有機ＥＬ素子
を備えたことを特徴とするカード型ユーザ端末。
【請求項２】
音声情報に基づいて強度変調された音声情報光を光電変換する薄膜の太陽電池、
音声情報および画像情報に基づいてそれぞれ強度変調された音声情報光および画像情報光を光電変換し、得られた画像情報を表示する有機ＥＬ素子、および
太陽電池および有機ＥＬ素子により得られた音声情報を出力する手段
を備えたことを特徴とするカード型ユーザ端末。
【請求項３】
外部に発信する情報コードに対応して明滅する有機ＥＬ素子、および
有機ＥＬ素子の明滅を制御する制御部
を備えたことを特徴とするカード型ユーザ端末。
【請求項４】
音声情報に基づいて強度変調された音声情報光を光電変換する薄膜の太陽電池、
太陽電池により得られた音声情報を出力する手段、
画像情報に基づいて強度変調された画像情報光を光電変換し、得られた画像情報を表示し、また、外部に発信する情報コードに対応して明滅する有機ＥＬ素子、および
有機ＥＬ素子の明滅を制御する制御部
を備えたことを特徴とするカード型ユーザ端末。
【請求項５】
音声情報に基づいて強度変調された音声情報光を光電変換する薄膜の太陽電池、
音声情報および画像情報に基づいてそれぞれ強度変調された音声情報光および画像情報光を光電変換し、得られた画像情報を表示し、また、外部に発信する情報コードに対応して明滅する有機ＥＬ素子、
太陽電池および有機ＥＬ素子により得られた音声情報を出力する手段、および
有機ＥＬ素子の明滅を制御する制御部
を備えたことを特徴とするカード型ユーザ端末。
【請求項６】
有機ＥＬ素子の光電変換により得られた情報が音声情報であるか画像情報であるかを判別する手段をさらに備え、
音声情報であると判別された場合に音声情報が音声出力手段により出力され、画像情報であると判別された場合に画像情報が有機ＥＬ素子により表示されることを特徴とする請求項１，２，４，５のいずれかに記載のカード型ユーザ端末。
【請求項７】
外部に発信する情報コードに対応させて、有機ＥＬ素子の発光をＯＮ，ＯＦＦさせる、または高輝度，低輝度の発光を切り替える、または白，黒の発光を切り替えることを特徴とする請求項３，４，５のいずれかに記載のカード型ユーザ端末。
【請求項８】
太陽電池が有機太陽電池であることを特徴とする請求項１，２，４，５のいずれかに記載のカード型ユーザ端末。
【請求項９】
太陽電池の光電変換により得られる電気信号の直流成分を電源として用いることを特徴とする請求項１，２，４，５のいずれかに記載のカード型ユーザ端末。
【請求項１０】
画像情報に基づいて変調された無線信号を受信する手段、および受信した無線信号を逆変調して画像情報を得る手段をさらに備えており、
有機ＥＬ素子が得られた画像情報をも表示することを特徴とする請求項１ないし５のいずれかに記載のカード型ユーザ端末。
【請求項１１】
湾曲可能であることを特徴とする請求項１ないし１０のいずれかに記載のカード型ユーザ端末。
【請求項１２】
厚さ２ｍｍ以下であることを特徴とする請求項１ないし１１のいずれかに記載のカード型ユーザ端末。
【請求項１３】
ユーザ側から環境側へ送る情報コードに基づいてユーザ端末に設けられた有機ＥＬ素子が行う明滅を撮影する手段、および
撮影された画像中の明滅に基づいて前記情報コードをディコーディングする手段
を備えたことを特徴とする環境側装置。
【請求項１４】
ユーザ側から環境側へ送る情報コードに基づいてユーザ端末に設けられた有機ＥＬ素子が行う明滅を撮影する手段、
撮影された画像中の明滅に基づいて前記情報コードをディコーディングする手段、および
撮影された画像中の明滅の位置に基づいてユーザ端末の位置を検出する手段
を備えたことを特徴とする環境側装置。
【請求項１５】
環境側からユーザ側へ送る音声情報に基づいて強度変調した音声情報光および画像情報に基づいて強度変調した画像情報光のいずれか一方または両方を発信する手段、
ユーザ側から環境側へ送る情報コードに基づいてユーザ端末に設けられた有機ＥＬ素子が行う明滅を撮影する手段、および
撮影された画像中の明滅に基づいて前記情報コードをディコーディングする手段
を備えたことを特徴とする環境側装置。
【請求項１６】
環境側からユーザ側へ送る音声情報に基づいて強度変調した音声情報光および画像情報に基づいて強度変調した画像情報光のいずれか一方または両方を発信する手段、
ユーザ側から環境側へ送る情報コードに基づいてユーザ端末に設けられた有機ＥＬ素子が行う明滅を撮影する手段、
撮影された画像中の明滅に基づいて前記情報コードをディコーディングする手段、および
撮影された画像中の明滅の位置に基づいてユーザ端末の位置を検出する手段
を備えたことを特徴とする環境側装置。
【請求項１７】
環境側からユーザ側へ送る音声情報および画像情報に基づいてそれぞれ強度変調した音声情報光および画像情報光を発信する手段を有する環境側装置、および、
音声情報光を光電変換する薄膜の太陽電池と、太陽電池により得られた音声情報を出力する手段と、画像情報光を光電変換し、得られた画像情報を表示する有機ＥＬ素子とを有するユーザ端末
を備えたことを特徴とする情報通信システム。
【請求項１８】
環境側からユーザ側へ送る音声情報および画像情報に基づいてそれぞれ強度変調した音声情報光および画像情報光を発信する手段を有する環境側装置、および、
音声情報光を光電変換する薄膜の太陽電池と、音声情報光および画像情報光を光電変換し、得られた画像情報を表示する有機ＥＬ素子と、太陽電池および有機ＥＬ素子により得られた音声情報を出力する手段とを有するユーザ端末を備えたことを特徴とする情報通信システム。
【請求項１９】
外部に発信する情報コードに対応して明滅する有機ＥＬ素子と、有機ＥＬ素子の明滅を制御する制御部とを有するユーザ端末、および
ユーザ端末の有機ＥＬ素子が行う明滅を撮影する手段と、撮影された画像中の明滅に基づいて前記情報コードをディコーディングする手段とを有する環境側装置
を備えたことを特徴とする情報通信システム。
【請求項２０】
外部に発信する情報コードに対応して明滅する有機ＥＬ素子と、有機ＥＬ素子の明滅を制御する制御部とを有するユーザ端末、および
ユーザ端末の有機ＥＬ素子が行う明滅を撮影する手段と、撮影された画像中の明滅に基づいて前記情報コードをディコーディングする手段と、撮影された画像中の明滅の位置に基づいてユーザ端末の位置を検出する手段とを有する環境側装置
を備えたことを特徴とする情報通信システム。
【請求項２１】
環境側からユーザ側へ送る音声情報および画像情報に基づいてそれぞれ強度変調した音声情報光および画像情報光を発信する手段と、ユーザ側から環境側へ送る情報コードに対応してユーザ端末に設けられた有機ＥＬ素子が行う明滅を撮影する手段と、撮影された画像中の明滅に基づいて前記情報コードをディコーディングする手段とを有する環境側装置、および、
音声情報光を光電変換する薄膜の太陽電池と、太陽電池により得られた音声情報を出力する手段と、画像情報光を光電変換し、得られた画像情報を表示し、また、情報コードに対応して明滅する有機ＥＬ素子と、有機ＥＬ素子の明滅を制御する制御部とを有するユーザ端末
を備えたことを特徴とする情報通信システム。
【請求項２２】
環境側からユーザ側へ送る音声情報および画像情報に基づいてそれぞれ強度変調した音声情報光および画像情報光を発信する手段と、ユーザ側から環境側へ送る情報コードに対応してユーザ端末に設けられた有機ＥＬ素子が行う明滅を撮影する手段と、撮影された画像中の明滅に基づいて前記情報コードをディコーディングする手段とを有する環境側装置、および、
音声情報光を光電変換する薄膜の太陽電池と、音声情報光および画像情報光を光電変換し、得られた画像情報を表示し、また、情報コードに対応して明滅する有機ＥＬ素子と、太陽電池および有機ＥＬ素子により得られた音声情報を出力する手段と、有機ＥＬ素子の明滅を制御する制御部とを有するユーザ端末
を備えたことを特徴とする情報通信システム。
【請求項２３】
環境側装置は、撮影された画像中の明滅の位置に基づいてユーザ端末の位置を検出する手段をさらに有することを特徴とする請求項２１または２２記載の情報通信システム。
【請求項２４】
ユーザ端末は、画像情報に基づいて変調された無線信号を受信する手段、および受信した無線信号を逆変調して画像情報を得る手段をさらに備えており、有機ＥＬ素子が得られた画像情報をも表示することを特徴とする請求項１７ないし２３のいずれかに記載の情報提供システム。
【発明の詳細な説明】
【技術分野】
【０００１】
本発明は、ユーザから環境側への情報アップロードおよび環境側からユーザへの情報ダウンロードを行い、互いに情報提供し合うシステムに関するものである。
【背景技術】
【０００２】
近年、ユーザへのより良い情報支援を志向するために、知能型通信装置を備えたカード型情報端末が盛んに研究開発されている。
【０００３】
たとえば、液晶表示部を有する携帯情報端末であるＰＤＡに空間光反射率変調技術を適用した、カード型光無線移動情報送信端末が提案されている（たとえば非特許文献１参照）。
【０００４】
また、無線で表示の書き換えができる液晶表示部付きＩＣカードが、２００３年に開催された「IC CARD WORLD 2003」で展示されている。
【非特許文献１】Xin Lin and Hideo Itoh, "Wireless Personal Information Terminalfor Indoor Spatial Optical Communication System Using a ModifiedDataSlim2",Opt. Rev. 10(3) 155-160 (2003)
【発明の開示】
【発明が解決しようとする課題】
【０００５】
しかしながら、上記従来技術では、液晶表示部に液体結晶表示材料を使っているため、曲げ不可能性とデータ伝送速度の低下という問題がある。
【０００６】
また、液晶は非自体発光材料であるので、 表示の視野角が狭く、直接に光受信を行う
ことが困難である。
【０００７】
自体発光のプラズマ表示材料を用いることも考えられるが、視野角が広くなるものの、気体放電による発光であるので、高消費電力と曲げ不可能性という問題がある。
【０００８】
そこで、以上のとおりの事情に鑑み、本発明は、上記問題点を解決することのできる情報提供システムならびにそれに用いられるカード型ユーザ端末および環境側装置を提供することを課題としている。
【課題を解決するための手段】
【０００９】
上記課題を解決するために、本発明のカード型ユーザ端末は、第１には、音声情報に基づいて強度変調された音声情報光を光電変換する薄膜の太陽電池、太陽電池により得られた音声情報を出力する手段、および画像情報に基づいて強度変調された画像情報光を光電変換し、得られた画像情報を表示する有機ＥＬ素子を備えたことを特徴とする。
【００１０】
第２には、音声情報に基づいて強度変調された音声情報光を光電変換する薄膜の太陽電池、音声情報および画像情報に基づいてそれぞれ強度変調された音声情報光および画像情報光を光電変換し、得られた画像情報を表示する有機ＥＬ素子、および太陽電池および有機ＥＬ素子により得られた音声情報を出力する手段を備えたことを特徴とする。
【００１１】
第３には、外部に発信する情報コードに対応して明滅する有機ＥＬ素子、および有機ＥＬ素子の明滅を制御する制御部を備えたことを特徴とする。
【００１２】
第４には、音声情報に基づいて強度変調された音声情報光を光電変換する薄膜の太陽電池、太陽電池により得られた音声情報を出力する手段、画像情報に基づいて強度変調された画像情報光を光電変換し、得られた画像情報を表示し、また、外部に発信する情報コードに対応して明滅する有機ＥＬ素子、および有機ＥＬ素子の明滅を制御する制御部を備えたことを特徴とする。
【００１３】
第５には、音声情報に基づいて強度変調された音声情報光を光電変換する薄膜の太陽電池、音声情報および画像情報に基づいてそれぞれ強度変調された音声情報光および画像情報光を光電変換し、得られた画像情報を表示し、また、外部に発信する情報コードに対応して明滅する有機ＥＬ素子、太陽電池および有機ＥＬ素子により得られた音声情報を出力する手段、および有機ＥＬ素子の明滅を制御する制御部を備えたことを特徴とする。
【００１４】
第６には、有機ＥＬ素子の光電変換により得られた情報が音声情報であるか画像情報であるかを判別する手段をさらに備え、音声情報であると判別された場合に音声情報が音声出力手段により出力され、画像情報であると判別された場合に画像情報が有機ＥＬ素子により表示されることを特徴とする。
【００１５】
第７には、外部に発信する情報コードに対応させて、有機ＥＬ素子の発光をＯＮ，ＯＦＦさせる、または高輝度，低輝度の発光を切り替える、または白，黒の発光を切り替えることを特徴とする。
【００１６】
第８には、太陽電池が有機太陽電池であることを特徴とする。
【００１７】
第９には、太陽電池の光電変換により得られる電気信号の直流成分を電源として用いることを特徴とする。
【００１８】
第１０には、画像情報に基づいて変調された無線信号を受信する手段、および受信した無線信号を逆変調して画像情報を得る手段をさらに備えており、有機ＥＬ素子が得られた画像情報をも表示することを特徴とする。
【００１９】
第１１には、湾曲可能であることを特徴とする。
【００２０】
第１２には、厚さ２ｍｍ以下であることを特徴とする。
【００２１】
また、本発明の環境側装置は、第１３には、ユーザ側から環境側へ送る情報コードに基づいてユーザ端末に設けられた有機ＥＬ素子が行う明滅を撮影する手段、および撮影された画像中の明滅に基づいて前記情報コードをディコーディングする手段を備えたことを特徴とする。
【００２２】
第１４には、ユーザ側から環境側へ送る情報コードに基づいてユーザ端末に設けられた有機ＥＬ素子が行う明滅を撮影する手段、撮影された画像中の明滅に基づいて前記情報コードをディコーディングする手段、および撮影された画像中の明滅の位置に基づいてユーザ端末の位置を検出する手段を備えたことを特徴とする。
【００２３】
第１５には、環境側からユーザ側へ送る音声情報に基づいて強度変調した音声情報光および画像情報に基づいて強度変調した画像情報光のいずれか一方または両方を発信する手段、ユーザ側から環境側へ送る情報コードに基づいてユーザ端末に設けられた有機ＥＬ素子が行う明滅を撮影する手段、および撮影された画像中の明滅に基づいて前記情報コードをディコーディングする手段を備えたことを特徴とする。
【００２４】
第１６には、環境側からユーザ側へ送る音声情報に基づいて強度変調した音声情報光および画像情報に基づいて強度変調した画像情報光のいずれか一方または両方を発信する手段、ユーザ側から環境側へ送る情報コードに基づいてユーザ端末に設けられた有機ＥＬ素子が行う明滅を撮影する手段、撮影された画像中の明滅に基づいて前記情報コードをディコーディングする手段、および撮影された画像中の明滅の位置に基づいてユーザ端末の位置を検出する手段を備えたことを特徴とする。
【００２５】
さらにまた、本発明の情報提供システムは、第１７には、環境側からユーザ側へ送る音声情報および画像情報に基づいてそれぞれ強度変調した音声情報光および画像情報光を発信する手段を有する環境側装置、および、音声情報光を光電変換する薄膜の太陽電池と、太陽電池により得られた音声情報を出力する手段と、画像情報光を光電変換し、得られた画像情報を表示する有機ＥＬ素子とを有するユーザ端末を備えたことを特徴とする。
【００２６】
第１８には、環境側からユーザ側へ送る音声情報および画像情報に基づいてそれぞれ強度変調した音声情報光および画像情報光を発信する手段を有する環境側装置、および、音声情報光を光電変換する薄膜の太陽電池と、音声情報光および画像情報光を光電変換し、得られた画像情報を表示する有機ＥＬ素子と、太陽電池および有機ＥＬ素子により得られた音声情報を出力する手段とを有するユーザ端末を備えたことを特徴とする。
【００２７】
第１９には、外部に発信する情報コードに対応して明滅する有機ＥＬ素子と、有機ＥＬ素子の明滅を制御する制御部とを有するユーザ端末、およびユーザ端末の有機ＥＬ素子が行う明滅を撮影する手段と、撮影された画像中の明滅に基づいて前記情報コードをディコーディングする手段とを有する環境側装置を備えたことを特徴とする。
【００２８】
第２０には、外部に発信する情報コードに対応して明滅する有機ＥＬ素子と、有機ＥＬ素子の明滅を制御する制御部とを有するユーザ端末、およびユーザ端末の有機ＥＬ素子が行う明滅を撮影する手段と、撮影された画像中の明滅に基づいて前記情報コードをディコーディングする手段と、撮影された画像中の明滅の位置に基づいてユーザ端末の位置を検出する手段とを有する環境側装置を備えたことを特徴とする。
【００２９】
第２１には、環境側からユーザ側へ送る音声情報および画像情報に基づいてそれぞれ強度変調した音声情報光および画像情報光を発信する手段と、ユーザ側から環境側へ送る情報コードに対応してユーザ端末に設けられた有機ＥＬ素子が行う明滅を撮影する手段と、撮影された画像中の明滅に基づいて前記情報コードをディコーディングする手段とを有する環境側装置、および、音声情報光を光電変換する薄膜の太陽電池と、太陽電池により得られた音声情報を出力する手段と、画像情報光を光電変換し、得られた画像情報を表示し、また、情報コードに対応して明滅する有機ＥＬ素子と、有機ＥＬ素子の明滅を制御する制御部とを有するユーザ端末を備えたことを特徴とする。
【００３０】
第２２には、環境側からユーザ側へ送る音声情報および画像情報に基づいてそれぞれ強度変調した音声情報光および画像情報光を発信する手段と、ユーザ側から環境側へ送る情報コードに対応してユーザ端末に設けられた有機ＥＬ素子が行う明滅を撮影する手段と、撮影された画像中の明滅に基づいて前記情報コードをディコーディングする手段とを有する環境側装置、および、音声情報光を光電変換する薄膜の太陽電池と、音声情報光および画像情報光を光電変換し、得られた画像情報を表示し、また、情報コードに対応して明滅する有機ＥＬ素子と、太陽電池および有機ＥＬ素子により得られた音声情報を出力する手段と、有機ＥＬ素子の明滅を制御する制御部とを有するユーザ端末を備えたことを特徴とする。
【００３１】
第２３には、環境側装置は、撮影された画像中の明滅の位置に基づいてユーザ端末の位置を検出する手段をさらに有することを特徴とする。
【００３２】
第２４には、ユーザ端末は、画像情報に基づいて変調された無線信号を受信する手段、および受信した無線信号を逆変調して画像情報を得る手段をさらに備えており、有機ＥＬ素子が得られた画像情報をも表示することを特徴とする。
【発明の効果】
【００３３】
上記のとおりの特徴を有する本発明によれば、ユーザ端末では、有機固体素子に基づく電流型半導体発光材料である有機ＥＬ素子と太陽電池を利用することにより、湾曲自在性、低消費電力、高視認性、高データ伝送速度を有する光通信携帯情報端末を実現することができ、またこの端末は無線通信による情報送受も可能なものとすることができる。
【００３４】
環境側装置としては、このユーザ端末との間の光情報通信や無線情報通信が可能になる。
【発明を実施するための最良の形態】
【００３５】
［第一の実施形態］
図１〜図３は本発明の一実施形態を示したものである。
【００３６】
本実施形態のユーザ端末１は、基体１１に有機ＥＬ素子１２、太陽電池１３、および制御部１４を設けた光通信端末であり、図２に例示したようにたとえば厚さ２ｍｍ以下（勿論この数値には限定されない）として全体が湾曲可能なカード型端末となっている。
【００３７】
より具体的には、基体１１は、プラスチック樹脂等でなる曲げ可能なカード形状またはシート形状を有している。
【００３８】
この基体１１に乗る有機ＥＬ素子１２は、端末の湾曲性を実現するよう曲げ可能な薄型のもので、機能上は、後述する情報アップロード用に明滅が可能となっており、また情報ダウンロード用に光電変換および情報表示が可能となっている。
【００３９】
同じく基体１１に乗る太陽電池１３は、端末の湾曲性を実現するよう曲げ可能な薄型のもので、機能上は、情報ダウンロード用に光電変換が可能となっている。この太陽電池１３は、ユーザ端末１の厚さ２ｍｍ以下を実現すべく、１ｍｍ以下の厚さとすることが好ましく、そのためには有機太陽電池を採用することが好ましい。
【００４０】
制御部１４は、ＣＰＵやメモリ等を搭載し、有機ＥＬ素子１２および太陽電池１３を制御するプログラムが書き込まれている。なお、図１では制御部１４を点線で図示しており、これは、制御部１４が有機ＥＬ素子１２および太陽電池１３とは異なり基体１１の外部に現れている必要なく、基体１１に内蔵されていればよいからである。
【００４１】
有機ＥＬ素子１２については、様々な発光材料を採用でき、たとえば表１に例示したような低分子、高分子、明順応発光素子などを考慮できる。
【００４２】
【表１】
2007333905.tif 000003
以上のユーザ端末１をユーザが携帯して、情報サービスが提供されている空間内に入ると、図３に例示したようにサービス空間に設置された環境側光通信装置２との間で空間光通信が行われる。
【００４３】
環境側光通信装置２は、ユーザ端末１が発する情報を受けるアップロード受信のための信号受信機２１、情報をサービス空間内に発するダウンロード送信のための信号送信機２２を備えている。
【００４４】
より具体的には、光信号受信機２１は、たとえば、ユーザ端末１の有機ＥＬ素子１２によるアップロード対象情報に従った明滅を撮像するカメラ等の撮像手段を有し、光信号送信機２２は、たとえば、ダウンロード対象情報に従って発光するＬＥＤ等の光源を有し、それぞれカメラのレンズの周辺にＬＥＤを配置する（勿論この配置には限定されない）などして機器筐体に具備される。
【００４５】
ここで、環境側光通信装置２との間で行われるユーザ端末１の情報アップロード処理および情報ダウンロード処理について説明する。
【００４６】
まず、情報アップロードについては、アップロード対象情報としてユーザ又はユーザ端末１固有の識別情報などを考慮でき、これをコーディングしてユーザ端末１の制御部１４あるいは別途設けられたメモリ等に予め記憶させておき、制御部１４がコードに従って有機ＥＬ素子１２を制御して明滅させる。
【００４７】
たとえば、コードの０，１に従って有機ＥＬ素子１２の発光をＯＮ，ＯＦＦさせたり、高輝度，低輝度の発光を切り替えたり、白，黒の発光を切り替えたりすることで、アップロード対象情報を光信号として有機ＥＬ素子１２の発光制御により発信することができる。このときの明滅間隔はたとえば１ｍｓｅｃである。
【００４８】
環境側光通信装置２では、光信号受信機２１によりこの発光を撮像し、画像中の明滅を画像ボード（図示なし）等により画像解析して認識し、得られた明滅データからアップロード対象情報をディコーディングする。
【００４９】
このとき、画像中の明滅部分の位置を解析し、得られた位置データからユーザ端末１の位置をも検出するようにしてもよい。
【００５０】
光信号受信機２１による撮像については、たとえば有機ＥＬ素子１２の発光波長に合わせたバンドパスフィルタを用いて、環境ノイズ光をカットし、ＥＬ素子１２の発光のみを撮像するようにしてもよい。この場合、表１に例示したように有機ＥＬ表示１２の構成材料によって発光波長範囲が異なるので、それぞれに合わせて設計されたバンドパスフィルタを用いる。これにより画像解析の精度をより高めることができる。
【００５１】
明滅解析や位置解析の具体的処理については、それが可能になればどのようなデバイスやプログラムを用いても良いことは言うまでもない。
【００５２】
以上により、情報サービスを提供する側にてユーザ端末１からの識別情報等のアップロード情報を取得することができる。
【００５３】
次に、情報ダウンロード処理については、ダウンロード対象情報として音声情報および画像情報を考慮でき、これを環境側光通信装置２の光信号発信機２２により発信する。
【００５４】
たとえば、音声情報の場合、音声の電気波形に基づいて赤外ＬＥＤ等の光源を強度変調して発光させる。画像情報の場合も同様であり、赤外光信号等の光信号として発信することができる。画像情報には、映像はもちろんのこと、画像として表示され得る文字など、有機ＥＬ素子１２で表示可能な情報が含まれる。
【００５５】
ユーザ端末１では、有機ＥＬ素子１２または太陽電池１３によりこの光信号を受光して光電変換する。太陽電池１３の光電変換により得られた電気信号は、そのままイヤホンやスピーカ等の音声出力手段に導かれて音声として出力される。このとき、音声情報と画像情報が一緒に送信されている場合、電気信号は音声情報と画像情報が混在したものとなるが、そのまま音声出力手段に導くだけで音声のみが出力される。もちろん画像情報の電気信号を除去するフィルタリングを行ってもよい。
【００５６】
一方、有機ＥＬ素子１２の光電変換により得られた電気信号は、制御部１４によって音声情報の電気信号であるか、画像情報の電気信号であるかが判別され、音声情報である場合には音声出力手段に導かれて音声出力され、画像情報である場合には有機ＥＬ素子１２により表示される。
【００５７】
以上により、ユーザと環境側との間で情報アップロードおよび情報ダウンロードが可能になり、光双方向通信が実現される。このとき、ユーザ端末１に設けられている有機ＥＬ素子１２は視野角が広いため、環境側光通信装置２によるユーザ端末１のアップロード発光の認識およびユーザ端末１による環境側光通信装置２のダウンロード発光の受光がし易くなり、より的確な空間光通信が実現される。また、ユーザ端末１は湾曲可能なフレキシブルカードであるため、扱い易いという利点もある。
【００５８】
なお、太陽電池１３の光電変換により得られる電気信号には交流成分と直流成分が含まれるが、交流成分は上記音声情報の電気信号波形に相当するのでそのまま音声出力手段に流せば音声が出力されることになり、直流成分はユーザ端末１の駆動電力として用いることができる。すなわち、太陽電池１３は音声情報光の受信手段としてだけではなく、ユーザ端末１の電力源としても機能することになる。ユーザ端末１に蓄電池を設けておき、得られた電力を蓄電するようにしてもよい。
【００５９】
［第二の実施形態］
ところで、以上の情報ダウンロードおよび情報アップロードは、光を媒体としたユーザ端末１と環境側光通信装置２との間の空間光通信によるものであるが、本発明では、ユーザ端末１の有機ＥＬ素子１２の表示機能をさらに活用して、無線による情報ダウンロードおよび情報アップロードを実現することができる。
【００６０】
図４はこの場合の一実施形態を示したものであり、環境側に設置された環境側無線通信装置３とユーザ端末１との間で無線による情報通信が行われる。
【００６１】
より具体的には、ユーザ端末１および環境側無線通信装置３は、たとえばＲＦＩＤとＲＦＩＤリーダといった互いに無線送受する機能を具備しており、この無線通信機能によりユーザ側から環境側への情報アップロードおよび環境側からユーザ側への情報ダウンロードの両方、またはそのいずれか一方が可能となっている。
【００６２】
たとえば、ユーザ端末１に記憶されている識別情報などのユーザ又は端末固有の情報を環境側に提示し、固有情報に基づいて環境側がより最適な情報を選択してユーザ端末１へ送り返すといったサービスが可能となる。ダウンロードされた情報はユーザ端末１の有機ＥＬ素子１２に表示するなどしてユーザに提示される。
【００６３】
ユーザ端末１および環境側無線通信装置３のより具体的な機能や構成は、上述した無線による情報通信が可能であれば特に限定されるものではない。
【００６４】
以上のとおりの本発明によれば、光による情報アップロードおよび情報ダウンロード、ならびに無線による情報アップロードおよび情報ダウンロードが、ユーザにとっては一つのユーザ端末１のみで可能になる。
【図面の簡単な説明】
【００６５】
【図１】本発明のユーザ端末の一実施形態を示した斜視図。
【図２】本発明のユーザ端末について説明するための図。
【図３】本発明のユーザ端末および環境側光通信装置の一実施形態を示した斜視図。
【図４】本発明のユーザ端末および環境側無線通信装置の一実施形態を示した斜視図。
【符号の説明】
【００６６】
１  ユーザ端末
１１  基体
１２  有機ＥＬ素子
１３  太陽電池
１４  制御部
２  環境側光通信装置
２１  信号受信機
２２  信号送信機
３  環境側無線通信装置
【図１】
2007333905.tif 000004
【図２】
2007333905.tif 000005
【図３】
2007333905.tif 000006
【図４】
2007333905.tif 000007